(57)【特許請求の範囲】
【請求項１】
熱収縮自在な生分解性フィルムで管端部の開口を被覆した地中埋設用管体であって、該管端部の開口を覆うように配置した該生分解性フィルムを、加熱して該管端部の外形に合わせて収縮させることによって該管端部に被着させた構成であって、該管端部の開口に対応する該生分解性フィルム部分に開封用切断切り込みを設け、該生分解性フィルムの外表面の該開封用切断切り込み上に、摘み部を設けた生分解性粘着テープを貼着したことを特徴とする地中埋設用管体。
【請求項２】
該管端部の外周面に、該管端部の端末方向に向かって外径が拡大する径大部が形成され
た構成にあって、
該径大部を覆うように配置した該生分解性フィルムの周縁部を、該径大部の外形に合わ
せて収縮させて該径大部に被着させている請求項１記載の地中埋設用管体。
【請求項３】
請求項１又は請求項２に記載の地中埋設用管体における管端部開口の被覆方法であって、
該管端部の外径より小さい孔径に設定されている貫通孔が形成された可撓性シートを、
該管端部が挿入可能な孔径に設定されている貫通孔がそれぞれ形成された一対の支持板で
挟持すると共に、熱収縮自在な生分解性フィルムを一方の支持板の外表面に貫通孔を覆う
ように配置し、
地中埋設用管体の管端部を、該生分解性フィルム側から該一方の支持板の貫通孔に挿入
し、さらに、該可撓性シートの貫通孔に圧入し、撓んだ該貫通孔の孔縁部で該生分解性フ
ィルムの周縁部を該管端部外周に押し当てつつ、他方の支持板の貫通孔から該管端部の開
口を差し出して該開口が該生分解性フィルムに覆われている状態とし、該生分解性フィル
ムを加熱して該管端部の外形に合わせて収縮させることによって、該管端部に該生分解性
フィルムを被着するようにしたことを特徴とする地中埋設用管体における管端部開口の被
覆方法。
【請求項４】
該管端部の外周に、該管端部の端末方向に向かって外径が拡大する径大部が設けられた
構成にあって、
該管端部を他方の支持板の貫通孔を通過させた際に該径大部が該生分解性フィルムの周
縁部で覆われた状態とし、該生分解性フィルムの周縁部を加熱して該径大部の外形に合わ
せて収縮させることによって、該径大部に該生分解性フィルムの周縁部を被着するように
した請求項３記載の地中埋設用管体における管端部開口の被覆方法。
【発明の詳細な説明】
【技術分野】
【０００１】
本発明は、管端部の開口が生分解性フィルムによって被覆されている地中埋設用管体、
及び該開口を生分解性フィルムで被覆する方法に関するものである。
【背景技術】
【０００２】
従来、工場で製造された地中埋設用管体は、その管端部の開口を包装用のラミネートク
ラフト紙（以下、ラミクラフト紙という）で塞ぎ、施工現場までの流通過程で管体内にゴ
ミや水等が浸入したり汚れが付着したりすることを防止している。
具体的には、該ラミクラフト紙で該開口を被覆し、さらに該ラミクラフト紙の周縁部を
紐、ＰＰバンドあるいは粘着テープなどで該管端部周りに固定するようにして該開口を塞
いでいる。そして、施工現場で該管端部に他の管体の管端部を接続する際、該固定用の紐
等と該ラミクラフト紙とを取り外すようにしている。
【０００３】
また、特許文献１には、金属管の管端にポリエチレンなどの熱収縮性袋体を被せ、この
熱収縮性袋体の開口端周方向に間隔をおいて切断切り込みを設けた構成が開示されている
。また、特許文献２には、開封を容易とするために延伸フィルム製袋の表面に舌片状切り
込みを設け、その舌片状切り込みに摘手片を貼り付けたものが開示されている。
【先行技術文献】
【特許文献】
【０００４】
【特許文献１】特公平６−９８１７０号公報
【特許文献２】実公昭４９−３４４７８号公報
【発明の概要】
【発明が解決しようとする課題】
【０００５】
しかしながら、上記した従来構成は、該開口を塞ぐために包装用のラミクラフト紙に加
えて固定用の紐等が別途必要であるため、開口を塞ぐ作業および施工現場での取り外し作
業が煩雑になるという問題がある。また、施工現場で取り外した前記ラミクラフト紙をリ
サイクルすることは不可能であり、回収して廃棄物として処分するしかなく、環境保護の
観点から好ましくない。
さらに、上記のような包装用資材（ラミクラフト紙や紐）の回収処理作業の都合上、埋
設作業前にあらかじめ地中埋設用管体から該包装用資材を取り外しておく必要があるが、
これでは包装用資材を取り外した該管体を地中に埋設する作業過程で該管体の接続部に土
砂等の汚れが付着してしまうこととなり、該土砂等の汚れが接続部に噛んで接続不良が発
生し、施工後に該接続部で漏水又は浸入水等の不具合が生じるおそれがある。
【０００６】
また、上記特許文献１の構成も、袋状包装体がリサイクルに不向きであり、事実上焼却
処分するしかないという問題がある。また、該袋状包装体は、包装する管端部の外径や形
状に合わせて複数種を準備して各々使い分ける必要があり、包装作業が煩雑となる。
また、上記特許文献２の構成は、開封部を舌片状に切り込んだり、また舌片状切り込み
に開封摘手片を貼り付けたりする必要があり、煩雑で面倒な作業を要する問題がある。
【０００７】
そこで、本発明は、上記問題を解決することができる地中埋設用管体、及び該管体にお
ける管端部開口の被覆方法を提供することを目的とする。
【課題を解決するための手段】
【０００８】
本発明は、上記問題を解決すべく、熱収縮自在な生分解性フィルムで管端部の開口を被
覆した地中埋設用管体であって、該管端部の開口を覆うように配置した該生分解性フィル
ムを、加熱して該管端部の外形に合わせて収縮させることによって該管端部に被着させて
いることを特徴とする地中埋設用管体である。
【０００９】
上記の地中埋設用管体は、管端部の開口が塞がれているため、施工現場までの流通過程
で管体内部にゴミ等が浸入したりすることがない。
また、施工現場で管体を接続するために破断させた生分解性フィルムは、地中で二酸化
炭素と水に分解されるため、管端部に被着させたまま地中に埋設したり、該生分解性フィ
ルムの破片をそのまま地中に捨ててしまったりすることができる。したがって、管体の接
続作業や埋設作業が極めて簡便となり、また廃棄物がでないため環境保護の観点からも望
ましい。
また、本発明においては、掘削した地中に該管体を降ろしてから該生分解性フィルムを
破断させて管体同士を接続することができるため、管体の接続作業の直前まで該管端部を
被覆した状態とすることができる。したがって、埋設する作業過程で該管体の接続部に土
砂等の汚れが付着してしまうことがなく、従来必要であった管体接続作業前の管端部の清
掃が不要となり、更には、土砂等の汚れによる接続不良を防止できる。
また、該生分解性フィルムは該管端部の外径に合わせて収縮させているから、管体の外
径や形状に影響されることなく確実に該管端部に取り付けられ、さらに、管体の外径や形
状に合わせて複数の種類を準備しておく必要がない。
【００１０】
本発明は、管端部がプレーンエンドである構成も含まれるが、該管端部の外周に、該管
端部の端末方向に向かって外径が拡大する径大部が設けられた構成にあって、該径大部を
覆うように配置した該生分解性フィルムの周縁部を、該径大部の外形に合わせて収縮させ
て該径大部に被着させている構成でもよい。
【００１１】
かかる構成は、該生分解性フィルムの周縁部が該径大部に当接して該管端部に係止され
るため、該生分解性フィルムが管端部から抜け落ちてしまうことがない。
【００１２】
また、本発明の生分解性フィルムにあっては、該管端部の開口に対応する該生分解性フィルム部分に開封用切断切り込みを設け、該生分解性フィルムの外表面の該開封用切断切り込み上に、摘み部を設けた生分解性粘着テープを貼着した構成とする。
【００１３】
かかる構成において、粘着テープを貼着した状態では該開封用切断切り込みは引き裂か
れることがないため該生分解性フィルムは破断しない。一方、施工現場の作業員が、摘み
部を摘んで該粘着テープを引き剥がし、露出した該開封用切断切り込みに指を入れて引き
裂くと、工具を用いることなく該生分解性フィルムが容易に破断し、他の管体が接続可能
となる。
また、該粘着テープも生分解性材料であるから、作業員は該テープを剥がした後そのま
ま地中に捨てて埋めてしまうことができる。したがって、上記構成は、より一層、施工現
場における管体の接続作業を簡便なものにする。
【００１４】
また、上記した地中埋設用管体の管端部開口は、以下の方法で被覆することが望ましい
。
すなわち、該管端部の外径より小さい孔径に設定されている貫通孔が形成された可撓性
シートを、該管端部が挿入可能な孔径に設定されている貫通孔がそれぞれ形成された一対
の支持板で挟持すると共に、熱収縮自在な生分解性フィルムを一方の支持板の外表面に貫
通孔を覆うように配置し、地中埋設用管体の管端部を、該生分解性フィルム側から該一方
の支持板の貫通孔に挿入し、さらに、該可撓性シートの貫通孔に圧入し、撓んだ該貫通孔
の孔縁部で該生分解性フィルムの周縁部を該管端部外周に押し当てつつ、他方の支持板の
貫通孔から該管端部の開口を差し出して該開口が該生分解性フィルムに覆われている状態
とし、該生分解性フィルムを加熱して該管端部の外形に合わせて収縮させることによって
、該管端部に該生分解性フィルムを被着するようにしたことを特徴とする地中埋設用管体
における管端部開口の被覆方法である。
【００１５】
上記方法は、生分解性フィルムの周縁部を該管端部外周に押し当てた状態で該生分解性
フィルムを加熱収縮するため、紐などの固定手段を用いることなく、該生分解性フィルム
を管端部に確実かつ迅速に被着させることができる。
【００１６】
上記方法は、管端部がプレーンエンドの管体でも適用できるが、該管端部の外周に、該
管端部の端末方向に向かって外径が拡大する径大部が設けられた構成にあって、該管端部
を他方の支持板の貫通孔を通過させた際に該径大部が該生分解性フィルムの周縁部で覆わ
れた状態とし、該生分解性フィルムの周縁部を加熱して該径大部の外形に合わせて収縮さ
せることによって、該径大部に該生分解性フィルムの周縁部を被着する方法でもよい。
【００１７】
上記方法は、該生分解性フィルムの周縁部を該管端部外周に押し当てた状態で加熱収縮
させることができる。
【発明の効果】
【００１８】
本発明の地中埋設用管体は、管体を接続する作業や地中に埋設する作業が極めて簡便と
なり、作業時間が短くなる効果があるし、環境に悪影響を与えることがない。
また、本発明の地中埋設用管体における管端部開口の被覆方法は、該管端部開口に生分
解性フィルムを確実かつ迅速に被着させることができる効果がある。
【図面の簡単な説明】
【００１９】
【図１】生分解性フィルムで開口を被覆した地中埋設用管体の斜視図
【図２】生分解性粘着テープと地中埋設用管体とを分離して示す分離斜視図
【図３】フィルム被覆装置の分解斜視図
【図４】フィルム被覆装置の外観斜視図
【図５】フィルム被覆装置の使用状態を示す斜視図
【図６】加熱時のフィルム被覆装置を示す縦断面図
【図７】地中埋設用管体の接続作業を示す説明図
【図８】他の実施形態の地中埋設用管体を示す斜視図
【図９】他の実施形態の地中埋設用管体を示す斜視図
【発明を実施するための形態】
【００２０】
本発明の実施例を添付図面に従って説明する。
図１に示すように、本実施例の地中埋設用管体１Ａ（以下、管体１Ａという）は円筒形
状をなし、硬質塩化ビニル材料で構成されている。また、該管体１Ａの管端部２には開口
３が形成されており、該管端部２の外周には、該管端部２の端末方向に向かって外径が拡
大する径大部５が設けられている。
【００２１】
また該管体１Ａの該開口３には、施工現場までの流通過程で管体１Ａ内にゴミ等が浸入
したりすることを防止するため、透明の生分解性フィルム１０が被覆されている。
該生分解性フィルム１０は、熱収縮自在な生分解性プラスチックフィルムからなる。生
分解性プラスチックフィルムとしては、例えば化学合成系、天然物系、及び微生物系があ
り、化学合成系のうち再生可能資源を原料とするものとして、デンプン由来のポリ乳酸成
分系、キトサン−セルロース−デンプン系などがあり、石油資源を原料とするものとして
、ポリエチレンテレフタラートなどがある。また、天然物系としては、酢酸セルロース、
キトサンなどがある。また、微生物系としては、ポリヒドロキシ酪酸などがある。
特に、ポリ乳酸系成分を主成分としているものは熱収縮自在な生分解性フィルムとして
安価で容易に入手することができ、本発明の生分解性フィルムとして好ましい。
該ポリ乳酸系成分を主成分とする生分解性フィルムとしては、ユニチカ社製二軸延伸フ
ィルムの「テラマックＴＳＨ収縮グレート（登録商標）」があり、該フィルムは比重１．
２７、融点１６５〜１７０℃、厚み２５μｍとされている。そのほか採用可能な材料とし
て、三菱樹脂社製フィルムの「エコロージュ（登録商標）」がある。
【００２２】
上記の管体１Ａの生分解性フィルム１０は、該管端部２の開口３を覆うように配置され
た状態で加熱され、該径大部５を含む該管端部２の外形に合わせて収縮することによって
、該径大部５を含む該管端部２に被着されている。
【００２３】
また、図１，２に示すように、該管端部２の開口３に対応する該生分解性フィルム部分
には、開封用切断切り込み１１が設けられている。該開封用切断切り込み１１は、作業員
が指を挿入できる程度の寸法に設定されている。
【００２４】
さらに、該生分解性フィルム１０における該開封用切断切り込み１１上には、生分解性
粘着テープ１５が貼着されている。また、該生分解性粘着テープ１５には、その端部を折
り返して作製した摘み部１５Ａが設けられている。
上記生分解性粘着テープ１５は、ニチバン社製「セロテープ（登録商標）」や、ポリ乳
酸系成分を主成分とする生分解性フィルムに粘着剤を塗布したヤマト社製「メモックロー
ルテープ・フィルムタイプ」を使用することができる。
【００２５】
次に、上記生分解性フィルム１０で該管端部２の開口３を被覆する方法を説明する。
図３，４に示すフィルム被覆装置２０は、可撓性シート２５と該可撓性シート２５を挟
持する一対の支持板２１Ａ，２１Ｂとを備えている。
【００２６】
該可撓性シート２５は、例えばゴムシートや熱可塑性エラストマーシートからなり、そ
の中央には、上記管体１Ａの管端部２の外径より小さい孔径に設定されている貫通孔２６
が形成されている。さらに該貫通孔２６の孔縁には、複数の切り込み２６Ａが間隔をおい
て形成されている。
【００２７】
また、該支持板２１Ａ，２１Ｂは、例えば硬質プラスチック材あるいはアルミニウム板
などの金属材からなり、その中央には、上記管体１Ａの管端部２の外径より大きい孔径に
設定されている貫通孔２２Ａ，２２Ｂが形成されている。
そして、該可撓性シート２５と該支持板２１Ａ，２１Ｂとが貫通孔２２Ａ，２２Ｂ，２
６が同一軸線上に並ぶように積層され、ボルト２７とナット２８とで緊締されている。
【００２８】
そして、図４に示すように、一対の支持板２１Ａ，２１Ｂのうち前側に位置する支持板
２１Ａの前面（外表面）に、貫通孔２２Ａを覆うように上記の熱収縮自在な生分解性フィ
ルム１０を配置する。
【００２９】
次に、図５に示すように、該管体１Ａの管端部２を、該生分解性フィルム側から該支持
板２１Ａの貫通孔２２Ａに挿入する。さらに、該管端部２を、図６に示すように、可撓性
シート２５の貫通孔２６に圧入し、該貫通孔２６の孔縁部を撓ませながら、後ろ側に位置
した支持板２１Ｂの貫通孔２２Ｂから該管端部２の開口３を差し出す。そうすると、図６
に示すように、該可撓性シート２５の貫通孔２６の孔縁部で該生分解性フィルム１０の周
縁部が該管端部外周に押し当てられつつ、該開口３が該生分解性フィルム１０で覆われて
いる状態となる。
【００３０】
そして、該開口３を覆っている生分解性フィルム１０を、該フィルム被覆装置２０の支
持板２１Ｂの近傍に配置した加熱装置３０を用いて加熱し、該径大部５を含む該管端部２
の外形に合わせて収縮させる。かくして、該管端部２には該生分解性フィルム１０が被着
され、管端部２の開口３が被覆される。
【００３１】
図７に示すように、上記管体１Ａに他の管体Ａを接続する際は、前記生分解性粘着テー
プ１５を引き剥がし、露出した開封用切断切り込み１１に指を入れて、該開口３を被覆し
ている生分解性フィルム１０を破断させる。なお、破断させた生分解性フィルム１０は、
管端部周りに被着させたままでよい。また、該生分解性フィルム１０の破片や作業員が引
き剥がした生分解性粘着テープ１５は、そのまま地中に捨ててもよい。
【００３２】
そして、開放された該開口３に他の管体Ａの管端部を差し込んで接続作業を終え、該管
体１Ａ，Ａを地中に埋設する。このように該管体１Ａは、管端部２の開口３を被覆する生
分解性フィルム１０を管端部２に被着したまま地中に埋設できるため、施工現場での管体
接続作業や埋設作業が極めて簡便となり、作業時間が短くなる利点がある。
【００３３】
他の実施形態の管体１Ｂを図８に従って説明する。
該管体１Ｂにおける該管端部２の外周には、球面で構成される径大部５が設けられてい
る。そして、該径大部５を含む管端部２に該生分解性フィルム１０を被着されており、該
生分解性フィルム１０は該管端部２から抜け落ちにくい。
【００３４】
これまでに述べた管体１Ａ，１Ｂは径大部５を備えた構成であるが、図９に示すように
、径大部５を備えないプレーンエンドの管端部２に該生分解性フィルム１０を被着させた
管体１Ｃも本発明に含まれる。このように、本発明は、プレーンエンドの管端部２に該生
分解性フィルム１０を被着させることができる。
また、本発明の管体は、直管のみならず、地中に埋設する管路構成部材であればいかな
る形状の管体であってもよい。
【００３５】
なお、本発明は、上記実施例に限定されることはなく、本発明の主旨を逸脱しない範囲
で適宜設計変更が可能である。
【符号の説明】
【００３６】
１Ａ〜１Ｃ            地中埋設用管体
２                    管端部
３                    開口
５                    径大部
１０                  生分解性フィルム
１１                  開封用切断切り込み
１５                  生分解性粘着テープ
１５Ａ                摘み部
２１Ａ，２１Ｂ        支持板
２２Ａ，２２Ｂ，２６  貫通孔
２５                  可撓性シート
【図１】
0005551924.tif 000002
【図２】
0005551924.tif 000003
【図３】
0005551924.tif 000004
【図４】
0005551924.tif 000005
【図５】
0005551924.tif 000006
【図６】
0005551924.tif 000007
【図７】
0005551924.tif 000008
【図８】
0005551924.tif 000009
【図９】
0005551924.tif 000010